(57)【要約】      （修正有）【課題】毛髪を容易に結び付けることができるかつらベースに毛髪を結び付ける方法、毛髪の結び目構造、その結び目構造を含むかつら、及びかつらベースに毛髪を結び付ける方法に用いる植毛治具を提供する。【解決手段】かつらベースに毛髪を結び付ける方法は、折り曲げ部１９で２つ折りにされた毛髪１８でかつらベースの線状部２を挟み折り曲げ部１９を頂点とする第１ループ２０を形成すると共に２つ折りにされた毛髪１８の他端を含む毛片２１と対向するように第１ループ２０を配置する工程と、毛片２１を、線状部２に面した側から第１ループ２０に挿入して第２ループ２２を形成すると共に、２本の毛片２３と対向するように第２ループ２２を配置する工程と、第２ループ２２と対向する２本の毛片２３を第２ループ２２の第１ループ２０に面した側へ向けて第２ループ２２に挿入する工程とを備えるので、かつらベースに毛髪を容易に結び付けることができる。【選択図】図３
2015209624.tif 000002
【特許請求の範囲】
【請求項１】
折り曲げ部で２つ折りにされた毛髪でかつらベースの線状部を挟み、前記折り曲げ部を頂点とする第１ループを形成すると共に、前記２つ折りにされた毛髪の他端を含む毛片と対向するように前記第１ループを配置する工程と、
前記毛片の少なくとも１本を、前記線状部に面した側から前記第１ループに挿入して第２ループを形成すると共に、２本の前記毛片と対向するように前記第２ループを配置する工程と、
前記第２ループと対向する２本の前記毛片の少なくとも１本を前記第２ループの前記第１ループに面した側へ向けて前記第２ループに挿入する工程と
を備えることを特徴とするかつらベースに毛髪を結び付ける方法。
【請求項２】
前記第２ループに挿入する工程は、前記第２ループに挿入する方向を回転軸として前記第２ループと対向する２本の前記毛片の少なくとも１本を１回以上回転させて、前記毛片を前記第２ループに挿入することを特徴とする請求項１に記載のかつらベースに毛髪を結び付ける方法。
【請求項３】
折り曲げ部で２つ折りにされた毛髪でかつらベースの線状部を挟み、前記折り曲げ部を頂点とする第１ループを形成すると共に、前記２つ折りにされた毛髪の他端を含む毛片と対向するように前記第１ループを配置し、
前記毛片の少なくとも１本を、前記線状部に面した側から前記第１ループに挿入して第２ループを形成すると共に、２本の前記毛片と対向するように前記第２ループを配置し、
前記第２ループと対向する２本の前記毛片の少なくとも１本を前記第２ループの前記第１ループに面した側へ向けて前記第２ループに挿入して形成されることを特徴とする毛髪の結び目構造。
【請求項４】
前記第２ループに挿入する方向を回転軸として前記第２ループと対向する２本の前記毛片の少なくとも１本を１回以上回転させて、前記毛片を前記第２ループに挿入することを特徴とする請求項３に記載の毛髪の結び目構造。
【請求項５】
請求項３又は請求項４に記載の毛髪の結び目構造を含むことを特徴とするかつら。
【請求項６】
棒状の基部の一端に形成されたかぎ針部と、前記基部の一端側に配置され、前記かぎ針部に形成された開口を開閉する可動部とを備えることを特徴とする植毛治具。
【請求項７】
前記基部の太さが２００〜１０００μｍであり、前記可動部の長さが１０００〜３０００μｍであり、前記かぎ針部と前記可動部とに囲まれた領域の幅が１００〜１０００μｍであることを特徴とする請求項６に記載の植毛治具。
【発明の詳細な説明】
【技術分野】
【０００１】
本発明は、かつらベースに毛髪を結び付ける方法、毛髪の結び目構造、かつら、及び植毛治具に関する。
【背景技術】
【０００２】
かつらは、頭部の形状や頭部を覆う範囲等に応じて形成されたかつらベースに天然毛髪や人工毛髪等の毛髪を植毛することで作製される。かつらベースは、主として網目状のネット部材や人工皮膚等で形成される。ネット部材で形成されたかつらベースは、ネット部材の網目を形成する線状部に毛髪を結び付けられて植毛される。人工皮膚のかつらベースは、人工皮膚に毛髪の一端を埋め込まれて植毛される。例えば、特許文献１には、隣接する網目パターン同士の網目形状が異なるネット部材からなるかつらベースに、天然毛髪や人口毛髪をいわゆるひばり結び又は巻き結びで結び付けられたかつらが開示されている。
【先行技術文献】
【特許文献】
【０００３】
【特許文献１】特開２００９−１７４０８４号公報
【発明の概要】
【発明が解決しようとする課題】
【０００４】
しかしながら巻き結びは、結び目を絞り、かつらベースに毛髪を固定するために、かつらベースに対して水平方向に毛髪を引っ張る必要があり、結び目の中央が破損し易い。ひばり結びは、水平方向に引っ張らなくとも結び目を絞ることができるが、結び目の絞りが緩くなりやすいため毛髪を固定し難く、毛髪が抜けやすい。さらに毛髪を固定しようとすると、ひばり結びによる毛髪の結び付け方は、さらに結び目を作る必要があり、かつらベースへの毛髪の結び付け方が複雑になる。その結果、結び目が大きくなる。
【０００５】
このように、従来は毛髪をかつらベースに結び付けるのが難しかった。
【０００６】
そこで、本発明は、毛髪を容易に結び付けることができるかつらベースに毛髪を結び付ける方法、毛髪の結び目構造、その結び目構造を含むかつら、及びかつらベースに毛髪を結び付ける方法に用いる植毛治具を提供することを目的とする。
【課題を解決するための手段】
【０００７】
本発明のかつらベースに毛髪を結び付ける方法は、折り曲げ部で２つ折りにされた毛髪でかつらベースの線状部を挟み、前記折り曲げ部を頂点とする第１ループを形成すると共に、前記２つ折りにされた毛髪の他端を含む毛片と対向するように前記第１ループを配置する工程と、前記毛片の少なくとも１本を、前記線状部に面した側から前記第１ループに挿入して第２ループを形成すると共に、２本の前記毛片と対向するように前記第２ループを配置する工程と、前記第２ループと対向する２本の前記毛片の少なくとも１本を前記第２ループの前記第１ループに面した側へ向けて前記第２ループに挿入する工程とを備えることを特徴とする。
【０００８】
本発明の毛髪の結び目構造は、折り曲げ部で２つ折りにされた毛髪でかつらベースの線状部を挟み、前記折り曲げ部を頂点とする第１ループを形成すると共に、前記２つ折りにされた毛髪の他端を含む毛片と対向するように前記第１ループを配置し、前記毛片の少なくとも１本を、前記線状部に面した側から前記第１ループに挿入して第２ループを形成すると共に、２本の前記毛片と対向するように前記第２ループを配置し、前記第２ループと対向する２本の前記毛片の少なくとも１本を前記第２ループの前記第１ループに面した側へ向けて前記第２ループに挿入して形成されることを特徴とする。
【０００９】
本発明のかつらは、請求項３又は請求項４に記載の毛髪の結び目構造を含むことを特徴とする。
【００１０】
本発明の植毛治具は、棒状の基部の一端に形成されたかぎ針部と、前記基部の一端側に配置され、前記かぎ針部に形成された開口を開閉する可動部とを備えることを特徴とする。
【発明の効果】
【００１１】
本発明のかつらベースに毛髪を結び付ける方法は、折り曲げ部で２つ折りにされた毛髪でかつらベースの線状部を挟み、折り曲げ部を頂点とする第１ループを形成すると共に、２つ折りにされた毛髪の他端を含む毛片と対向するように第１ループを配置する工程と、毛片の少なくとも１本を、線状部に面した側から第１ループに挿入して第２ループを形成すると共に、２本の毛片と対向するように第２ループを配置する工程と、第２ループと対向する２本の毛片の少なくとも１本を第２ループの第１ループに面した側へ向けて第２ループに挿入する工程とを備えるので、かつらベースに対して垂直方向に毛髪を引っ張ることで結び目を絞ることができ、結び目が割れることを抑制できる。また、本発明のかつらベースに毛髪を結び付ける方法は、結び目が解け難いので、さらに結び目を作る必要がなく、毛髪を結び付ける手順を少なくできる。よって、本発明のかつらベースに毛髪を結び付ける方法は、かつらベースに毛髪を容易に結び付けることができる。
【００１２】
本発明の毛髪の結び目構造は、折り曲げ部で２つ折りにされた毛髪でかつらベースの線状部を挟み、折り曲げ部を頂点とする第１ループを形成すると共に、２つ折りにされた毛髪の他端を含む毛片と対向するように第１ループを配置し、毛片の少なくとも１本を、線状部に面した側から第１ループに挿入して第２ループを形成すると共に、２本の毛片と対向するように第２ループを配置し、第２ループと対向する２本の毛片の少なくとも１本を第２ループの第１ループに面した側へ向けて第２ループに挿入して形成されるので、容易に形成できる。また、本発明の毛髪の結び目構造は、かつらベースに対して垂直方向に毛髪を引っ張ることで結び目が絞まり、結び目が解けるのを抑制できる。さらに、本発明の毛髪の結び目構造は、結び目が解けにくいので、さらに結び目を作る必要がなく、結び目を小さくできる。
【００１３】
本発明のかつらは、請求項３又は請求項４に記載の毛髪の結び目構造を含むので、容易に製造することができる。
【００１４】
本発明の植毛治具は、棒状の基部の一端に形成されたかぎ針部と、前記基部の一端側に配置され、前記かぎ針部に形成された開口を開閉する可動部とを備えることを特徴とするので、植毛治具を把持部の方向へ引っ張るときに、可動部が線状部及び毛髪に触れてかぎ針部の方向に回転軸を中心として回転し、かぎ針部の開口を閉じることができる。そのため本発明の植毛治具は、かぎ針部が線状部２及び毛髪に引っかかることを防止でき、毛髪及び線状部が破損することを防止できる。よって本発明の植毛治具は、かつらベースに毛髪を結び付ける作業の作業性を向上できる。
【図面の簡単な説明】
【００１５】
【図１】本発明の第１実施形態に係る毛髪の結び目構造の全体構成を示す斜視図であり、図１Ａは正面図であり、図１Ｂは背面図である。
【図２】本発明の第１実施形態に係る植毛治具の全体構成を示す概略図であり、図２Ａはかぎ針部の開口が閉じている状態を示し、図２Ｂはかぎ針部の開口が開いている状態を示す。
【図３】本発明の第１実施形態に係るかつらベースに毛髪を結び付ける方法の手順を示す概略図であり、図３Ａは折り曲げ部に植毛治具のかぎ針部を引っかける段階を示し、図３Ｂは植毛治具を線状部の手前側に引き出し、毛髪を線状部の下側をくぐらせる段階を示し、図３Ｃは折り曲げ部を頂点とする第１ループを形成する段階を示し、図３Ｄはかぎ針部に２本の毛片を毛片に向かって右側から引っかける段階を示し、図３Ｅは２本の毛片を束ねる段階を示し、図３Ｆは２本の毛片を引っかけた状態で、植毛治具を第１ループの手前側に引き出す段階を示し、図３Ｇは第２ループを形成する段階を示し、図３Ｈは、第２ループの奥側から第２ループ内に植毛治具を押し込み、２本の毛片に引っかける段階を示し、図３Ｉは植毛治具を第２ループの奥側に引き抜いた段階を示す。
【図４】本発明の第２実施形態に係るかつらベースに毛髪を結び付ける方法の手順を示す概略図であり、図４Ａは第２ループの奥側から第２ループ内に植毛治具を押し込み、２本の毛片に引っかけ、植毛治具を植毛治具の長軸を回転軸として回転させる段階を示し、図４Ｂは植毛治具を第２ループの奥側に引き抜いた段階を示す。
【発明を実施するための形態】
【００１６】
以下、図面を参照して本発明の実施の形態について詳細に説明する。
【００１７】
１．第１実施形態
（１）かつら
かつらは、かつらベースと、かつらベースに結び付けられた毛髪とを含んでいる。かつらベースは、網目状のネット部材で形成されている。毛髪は、ネット部材の網目を形成する線状部に結び付けられている。毛髪は、特に限定されず、人工毛髪であってもよく、天然毛髪であってもよい。
【００１８】
（２）毛髪の結び目構造
図１Ａ及び図１Ｂに示すように、毛髪の結び目構造１は、線状部２に結び付けられている。毛髪の結び目構造１は、毛片３、４と、ループ５、６と、接続部７とからなる。毛片３、４は線状部２に対して略垂直に立ち上がっている。ループ５は線状部２上に形成されたループ６上に形成されている。ループ５の一部は、ループ６の下側にあり、ループ６によってループ５は押さえられている。ループ５の一端とループ６の一端とは接続部７を介して繋がっている。毛片３はループ５、６内をこの順で通り、線状部２の下側を通って折り返され、ループ６の他端と繋がっている。毛片４は、ループ５、６内をこの順で通り、線状部２の下側を通って折り返され、ループ５の他端と繋がっている。毛髪の結び目構造１は、毛片３、４を線状部２に対して垂直方向に引っ張ることで、結び目が絞まる。
【００１９】
（３）かつらベースに毛髪を結び付ける方法に用いる植毛治具
図２に示すように、植毛治具８は、植毛針９と可動部１０と把持部１１とを備えている。植毛針９は、棒状の基部１３と、先端が半円形状をしたＪ字状のかぎ針部１２とからなる。かぎ針部１２は開口が形成されている。かぎ針部１２は、開口から毛髪を入れてかぎ針部１２内に通すことで、毛髪を引っかけることができる。基部１３は、一端に基部１３よりも細いかぎ針部１２が一体に形成されている。基部１３は、一端が徐々に細くなっており、他端には把持部１１が設けられている。基部１３の形状は特に限定されず、断面が円形の棒状でもよく、断面が四角形の棒状であってもよい。また、基部１３の太さＷ２は２００〜１０００μｍであることが望ましい。これは、基部１３の太さＷ２が、２００μｍよりも細いと植毛針９が変形し易くなり、１０００μｍよりも太いとかつらベースの網目や毛髪１８によって形成されたループを植毛針９が通りにくくなり、作業性が低下するからである。基部１３の一端側には、図示しない溝と貫通穴とが形成されている。溝には、可動部１０の一端が挿入されている。可動部１０の一端には、図示しない貫通穴が形成されている。可動部１０は、可動部１０の貫通穴と基部１３の貫通穴とが重なるように、基部１３の一端側に配置されている。可動部１０の貫通穴と基部１３の貫通穴とには回転軸１４が通っている。よって可動部１０は、回転軸１４を中心として回転でき、図２Ａに示すように、かぎ針部１２の方向へ回転して植毛針９の先端に接触することで、かぎ針部１２の開口を閉じることができる。また可動部１０は、把持部１１の方向へ回転して植毛針９の先端から離れることで、図２Ｂに示すように、かぎ針部１２の開口を開放できる。かぎ針部１２と可動部１０とに囲まれた領域の幅Ｗ１は、１００〜１０００μｍであることが望ましい。これは、当該領域の幅Ｗ１が、１００μｍより小さくなると毛髪１８をかぎ針部１２に引っかけにくくなり、１０００μｍよりも大きくなるとかつらベースの網目や毛髪１８によって形成されたループを植毛針９が通りにくくなり、作業性が低下するからである。なお可動部１０の長さは１０００〜３０００μｍであることが望ましい。可動部１０の長さが１０００μmよりも短くなるとかぎ針部１２の閉口が不安定となり、３０００μmよりも長くなるとかつらベースの網目や毛髪１８によって形成されたループを植毛針９が通りにくくなり、作業性が低下するからである。
【００２０】
（４）かつらベースに毛髪を結び付ける方法
本発明のかつらベースに毛髪を結び付ける方法を説明する。毛髪は、かつらベースの網目を形成する線状部２に、上記で説明した植毛治具８を用いて毛髪の結び目構造１を形成して結び付けられる。
【００２１】
図１及び図２と対応する箇所に同じ符号を付して示す図３は、かつらベースに毛髪を結び付ける方法の手順を示している。
【００２２】
毛髪１８をその中央部で２つ折りにして折り曲げ部１９を形成する。毛髪１８を結び付けるかつらベースの線状部２の奥側で、線状部２の下側から植毛治具８を挿入し、折り曲げ部１９に植毛治具８のかぎ針部１２を引っかける（図３Ａ）。
【００２３】
折り曲げ部１９にかぎ針部１２を引っかけた状態で、植毛治具８を線状部２の手前側に引き出し、毛髪１８を線状部２の下側をくぐらせる。このとき、可動部１０が線状部２に当たり、かぎ針部１２の方向へ回転軸１４を中心として回転して植毛針９の先端と接触する。このようにして、可動部１０はかぎ針部１２の開口を閉じる（図３Ｂ）。
【００２４】
植毛治具８を線状部２の上方へと動かして、折り曲げ部１９を頂点とする第１ループ２０を形成すると共に、毛髪１８の末端を含む毛片（第２ループ形成用毛片）２１と線状部２を挟んで対向するように第１ループ２０を配置する（図３Ｃ）。
【００２５】
次いで、植毛治具８を第１ループ２０内に押し込む。このとき、かぎ針部１２内を通っている第１ループ２０が可動部１０を内側から押し上げる。そうすると、可動部１０は回転軸１４を中心として把持部１１の方向へ回転する。これによりかぎ針部１２の開口が開き、第１ループ２０が植毛治具８から外れる。そして、挿入した植毛治具８のかぎ針部１２に、２本の毛片２１を毛片２１に向かって右側から引っかけ、２本の毛片２１を束ねる（図３Ｄ、図３Ｅ）。
【００２６】
２本の毛片２１を引っかけた状態で、植毛治具８を第１ループ２０の手前側に引き出す（図３Ｆ）。このとき、可動部１０が第１ループ２０に接触して、回転軸１４を中心としてかぎ針部１２の方向へ回転する。このようにして、可動部１０はかぎ針部１２の開口を閉じる。さらに植毛治具８を第１ループ２０の手前側に引き出すことにより、第２ループ２２を形成すると共に、毛髪１８の末端を含む毛片２３と第１ループ２０を挟んで対向するように第２ループ２２を配置する（図３Ｇ）。
【００２７】
続いて、第２ループ２２の奥側から第２ループ２２内に植毛治具８を押し込む。このとき、かぎ針部１２内を通っている第２ループ２２が可動部１０を内側から押し上げる。そうすると、可動部１０は回転軸１４を中心として把持部１１の方向へ回転する。このようにして可動部１０は、かぎ針部１２の開口を開き、第２ループ２２が植毛治具８から外れる。そして、第２ループ２２に押し込んだかぎ針部１２を２本の毛片２３に引っかける（図３Ｈ）。その後、植毛治具８を第２ループ２２の奥側に引き抜いて、第２ループ２２に毛片２３を末端まで通す。このとき、可動部１０が第２ループ２２と接触して回転軸１４を中心としてかぎ針部１２の方向へ回転する。このようにして、可動部１０はかぎ針部１２の開口を閉じる（図３Ｉ）。
【００２８】
最後に、毛片２３の末端を線状部２に対して垂直方向に引っ張ることで、結び目を絞り、毛髪１８を線状部２に結び付ける。このようにして、毛髪１８をかつらベースに結び付ける。
【００２９】
（５）作用及び効果
かつらベースに毛髪を結び付ける方法は、折り曲げ部１９で２つ折りにされた毛髪１８でかつらベースの線状部２を挟み、折り曲げ部１９を頂点とする第１ループ２０を形成すると共に、２つ折りにされた毛髪１８の他端を含む毛片２１と対向するように第１ループ２０を配置する工程と、毛片２１を、第１ループ２０の奥側（線状部２に面した側）から手前側に引き出して第２ループ２２を形成すると共に、２本の毛片２３と対向するように第２ループ２２を配置する工程と、第２ループ２２と対向する２本の毛片２３を第２ループ２２の手前側から奥側（第１ループ２０に面した側）へ向けて第２ループ２２に挿入する工程とを備えるので、かつらベースに対して垂直方向に毛髪を引っ張ることで結び目を絞ることができ、結び目が割れることを抑制できる。また、かつらベースに毛髪を結び付ける方法は、結び目が解け難いので、さらに結び目を作る必要がなく、毛髪を結び付ける手順を少なくできる。よって、かつらベースに毛髪を結び付ける方法は、かつらベースに毛髪を容易に結び付けることができる。
【００３０】
毛髪の結び目構造１は、折り曲げ部１９で２つ折りにされた毛髪１８でかつらベースの線状部２を挟み、折り曲げ部１９を頂点とする第１ループ２０を形成すると共に、２つ折りにされた毛髪１８の他端を含む毛片２１と対向するように第１ループ２０を配置し、毛片２１を、第１ループ２０の奥側（線状部２に面した側）から手前側に引き出して第２ループ２２を形成すると共に、２本の毛片２３と対向するように第２ループ２２を配置し、第２ループ２２と対向する２本の毛片２３を第２ループ２２の手前側から奥側（第１ループ２０に面した側）へ向けて第２ループ２２に挿入して形成されるので、容易に形成できる。また、毛髪の結び目構造１は、かつらベースに対して垂直方向に毛髪を引っ張ることで結び目が絞まり、結び目が解けるのを抑制できる。さらに、毛髪の結び目構造１は、結び目が解けにくいので、さらに結び目を作る必要がなく、結び目を小さくできる。
【００３１】
かつらは、毛髪の結び目構造１を含むので、容易に製造することができる。
【００３２】
植毛治具８は、棒状の基部１３の一端に一体に形成されたかぎ針部１２と、基部１３の一端側に配置され、回転軸１４を中心として回転してかぎ針部１２に形成された開口を開閉する可動部１０を備えるので、植毛治具８を把持部１１の方向へ引っ張るときに、可動部１０が線状部２及び毛髪１８に触れてかぎ針部１２の方向に回転軸１４を中心として回転し、かぎ針部１２の開口を閉じることができる。そのため植毛治具８は、かぎ針部１２が線状部２及び毛髪１８に引っかかることを防止でき、毛髪１８及び線状部２が破損することを防止できる。よって植毛治具８は、かつらベースに毛髪１８を結び付ける作業の作業性を向上できる。
【００３３】
植毛治具８は、基部１３の太さＷ２が２００〜１０００μｍであり、可動部１０の長さが１０００〜３０００μｍであり、かぎ針部１２と可動部１０とに囲まれた領域の幅Ｗ１が１００〜１０００μｍであるので、かつらベースに毛髪１８を結び付ける作業の作業性を向上できる。
【００３４】
２．第２実施形態
第２実施形態は、第１実施形態とかつらベースに毛髪を結び付ける方法が異なる。第１実施形態と同様の構成は、説明を省略する。
【００３５】
（１）かつらベースに毛髪を結び付ける方法
かつらベースに毛髪を結び付ける方法は、第２ループ２２を形成するまでの工程が第１実施形態と同じであるので、その部分の説明を省略し、第２ループ２２を形成した後の工程について説明する。
【００３６】
第２ループ２２の奥側から第２ループ２２内に植毛治具８を押し込む。このとき、かぎ針部１２内を通っている第２ループ２２が可動部１０を内側から押し上げる。そうすると、可動部１０は回転軸１４を中心として把持部１１の方向へ回転する。このようにして可動部１０は、かぎ針部１２の開口を開き、第２ループ２２が植毛治具８から外れる。そして、第２ループ２２に押し込んだかぎ針部１２を２本の毛片２３に引っかける（図４Ａ）。その後、植毛治具８を植毛治具８の長軸を回転軸として少なくとも１回以上回転させる。回転方向は特に限定されない。そして、植毛治具８を第２ループ２２の奥側に引き抜いて、第２ループ２２に毛片２３を末端まで通す。このとき、可動部１０が第２ループ２２と接触して回転軸１４を中心としてかぎ針部１２の方向へ回転する。このようにして、可動部１０はかぎ針部１２の開口を閉じる（図４Ｂ）。
【００３７】
最後に、毛片２１を線状部２に対して垂直方向に引っ張ることで、結び目を絞り、毛髪１８を線状部２に結び付ける。このようにして、毛髪１８をかつらベースに結び付ける。
【００３８】
（２）作用及び効果
かつらベースに毛髪を結び付ける方法は、折り曲げ部１９で２つ折りにされた毛髪１８でかつらベースの線状部２を挟み、折り曲げ部１９を頂点とする第１ループ２０を形成すると共に、２つ折りにされた毛髪１８の他端を含む毛片２１と対向するように第１ループ２０を配置する工程と、毛片２１を、第１ループ２０の奥側（線状部２に面した側）から手前側に引き出して第２ループ２２を形成すると共に、２本の毛片２３と対向するように第２ループ２２を配置する工程と、第２ループ２２と対向する２本の毛片２３を第２ループ２２の手前側から奥側（第１ループ２０に面した側）へ向けて第２ループ２２に挿入する工程とを備え、第１実施形態と同様の構成を有するので、第１実施形態と同様の効果を奏する。
【００３９】
また、かつらベースに毛髪を結び付ける方法は、第２ループ２２に挿入する工程が、植毛治具８の長軸（第２ループ２２に挿入する方向）を回転軸として第２ループと対向する２本の毛片２３を１回以上回転させて、毛片２３の末端を第２ループ２２に挿入するので、結び目が絞まり、結び目構造を小さくできる。
【００４０】
３．変形例
本発明は上記実施形態に限定されるものではなく、本発明の趣旨の範囲内で適宜変更することが可能である。
【００４１】
上記実施形態では、網目状のネット部材からなるかつらベースに毛髪を結び付けた場合について説明したが、本発明はこれに限られず、例えばひも等の線状部材からなるかつらベースであってもよい。すなわち、かつらベースが毛髪を結び付けられる線状部を有していればよい。
【００４２】
また、上記実施形態では、かぎ針部１２の先端が半円形状をしている場合について説明したが、本発明はこれに限られず、かぎ針部１２の先端が例えばくの字形状をしていてもよい。この場合、くの字形状のかぎ針部１２は、一端に基部１３が一体に形成され、可動部１０がくの字の他端に接触してくの字の開口を閉じるように配置される。
【００４３】
また、上記実施形態では、本発明の植毛治具８を用いて毛髪の結び目構造１を形成し、毛髪１８をかつらベースに結び付けた場合について説明したが、本発明はこれに限られない。例えば、可動部を有さない例えばＪ字状の植毛治具を用いて毛髪の結び目構造１を形成し、毛髪をかつらベースに結び付けてもよい。
【００４４】
さらに、上記実施形態では、第２ループ２２の奥側から第２ループ２２内に植毛治具８を押し込み、かぎ針部１２を２本の毛片２３に引っかけた後、植毛治具８を第２ループ２２の奥側に引き抜いて、第２ループ２２に毛片２３を末端まで通し、かつらベースに毛髪を結び付けた場合について説明したが本発明はこれに限られない。例えば、第２ループ２２の奥側から第２ループ２２内に植毛治具８を押し込み、かぎ針部１２を２本の毛片２３に引っかけた後、植毛治具８を第２ループ２２の奥側に引き抜いて、第３ループを形成する。そして、第３ループに植毛治具８を押し込んでかぎ針部１２を２本の毛片２３に引っかけた後、植毛治具８を第３ループから引き抜いて、第３ループに毛片２３を末端まで通す。最後に、毛片２３を線状部２に対して垂直方向に引っ張ることでかつらベースに毛髪を結び付けてもよい。さらには、第３ループ形成後に同様にして第４ループを形成してもよく、さらに同様にして繰り返しループを形成してもよい。
【００４５】
また第１ループを形成した後のかつらベースに毛髪を結び付ける方法は、第１実施形態に限られない。すなわち、第１実施形態では、第１ループ２０を形成した後に、２本の毛片２１を第１ループ２０の手前側に引き出して、第２ループ２２を形成したが本発明はこれに限られない。例えば、植毛治具８を第１ループ２０内に押し込み、挿入した植毛治具８のかぎ針部１２に、２本の毛片２１の内の１本を、毛片２１に向かって右側から引っかけ、植毛治具８を第１ループ２０の手前側に引き出して第２ループを形成すると共に、毛髪１８の末端を含む毛片２３と第1ループ２０を挟んで対向するように第２ループを配置する。この後、１本の毛髪からなる第２ループに植毛治具８を押し込んでかぎ針部１２を毛片２３の内、第２ループを形成した毛片２３に引っかけ、植毛治具８を第２ループから引き抜いて、第２ループを形成した毛片２３を第２ループに末端まで通す。そして、最後に、２本の毛片２３を線状部２に対して垂直方向に引っ張ることでかつらベースに毛髪を結び付けてもよい。このとき、２本の毛片２３を第２ループに末端まで通してもよく、第２ループを形成していない毛片２３を第２ループに末端まで通してもよい。
【００４６】
さらに、１本の毛髪からなる第２ループを形成した後、第２ループに植毛治具８を押し込んでかぎ針部１２を第２ループを形成していない毛片２３に引っかけて第２ループから引き出して第３のループを形成する。次いで、第３のループに植毛治具８を押し込んでかぎ針部１２を第２ループを形成した毛片２３に引っかけて第３ループから引き出して第４のループを形成する。この後、第４ループに植毛治具８を押し込んでかぎ針部１２を毛片２３の内、第２ループを形成した毛片２３に引っかけ、植毛治具８を第４ループから引き抜いて、第２ループを形成した毛片２３を第４ループに末端まで通す。そして、最後に、２本の毛片２３を線状部２に対して垂直方向に引っ張ることでかつらベースに毛髪を結び付けてもよい。このとき、２本の毛片２３を第４ループに末端まで通してもよく、第２ループを形成していない毛片２３を第４ループに末端まで通してもよい。また、第４ループを形成した後に、第４ループから第２ループを形成していない毛片２３を引き出して第５ループを形成してもよく、さらには第２ループを形成した毛片２３と第２ループを形成していない毛片２３とで交互に繰り返しループを形成してもよい。
【符号の説明】
【００４７】
１    毛髪の結び目構造
２    線状部
８    植毛治具
１８    毛髪
１９    折り曲げ部
２０    第１ループ
２１、２３    毛片
２２    第２ループ
【図１】
2015209624.tif 000003
【図２】
2015209624.tif 000004
【図３】
2015209624.tif 000005
【図４】
2015209624.tif 000006